(57)【要約】【課題】郵便受けの開口部に新聞等が挿入された際に、当該開口部の隙間から室内に隙間風が入り込むのを確実に防止することが可能な郵便受け装置を提供する。【解決手段】本考案の郵便受け装置は、住宅の壁面又はドアに設けられた郵便受け用の開口部の室内側に、当該開口部を囲むように取り付けられる枠体状の取付部と、前記取付部における開口に連通した状態で、その上端において当該取付部に固着されると共に、下方に垂下する筒体とを有することを特徴とする。【選択図】図１
0003124065.tif 000002
【実用新案登録請求の範囲】
【請求項１】
住宅の壁面又はドアに設けられた郵便受け用の開口部の室内側に、当該開口部を囲むように取り付けられる枠体状の取付部と、前記取付部における開口に連通した状態で、その上端において当該取付部に固着されると共に、下方に垂下する筒体とを有することを特徴とする郵便受け装置。
【請求項２】
前記筒体には、郵便物等の投入物を取り出すための取り出し口を開口するとともに、前記取り出し口には、当該取り出し口を開閉可能とする開閉部材を設けた請求項１に記載の郵便受け装置。
【請求項３】
前記筒体は、透明又は半透明の材料によって形成されている請求項１又は２に記載の郵便受け装置。
【請求項４】
前記筒体は、不通気性乃至難通気性の素材で形成されている請求項１乃至３のいずれかに記載の郵便受け装置。
【考案の詳細な説明】
【技術分野】
【０００１】
本考案は、団地等の集合住宅や一戸建ての家屋の壁面又はドアなどに設けられた郵便受けに配設される郵便受け装置に関するものである。
【背景技術】
【０００２】
従来、団地等の集合住宅や一戸建ての家屋の壁面又はドアなどに設けられたこの種の郵便受けとしては、壁面等に細長い矩形状の開口部を設けるとともに、当該開口部の室外側に、室内側に対して開閉自在な開閉扉を、開口部を閉じる状態に付勢して設けるように構成したものがある。また、開口部に対し、室内側に郵便を受ける箱体を設けるものもあるが、上記郵便受けでは、開口部の下方に箱等を設置して、この箱によって開口部から投入された郵便物を受けるように構成している場合も多い。
【０００３】
また、上記郵便受けには、葉書等の薄手の郵便物以外にも、書籍小包のように厚手の郵便物や毎朝配達される新聞やチラシ等も投入される。郵便物や新聞等を投入する際には、当該郵便物や新聞等又は手で開閉扉を室内側へ押し開けて投入するようになっているが、開口部から室内側へ完全に投入されることは稀である。
【０００４】
特に上記新聞等は、細長く折られた状態で、郵便受けの開口部に挿入されるが、当該新聞等は、郵便物に比べて長く、厚さも厚いため、郵便受けの開閉扉を押し開けた状態で、開口部に挿入されたままで配達される場合がほとんどであり、厚手の郵便物であっても同様である。
【考案の開示】
【考案が解決しようとする課題】
【０００５】
しかしながら、上記従来技術の場合には、次のような問題点を有している。すなわち、上記従来の郵便受けでは、特に厚手の郵便物や新聞等が開口部に挿入されると、当該開口部に開閉扉が設けられていたとしても、挿入された新聞等により開いたままの状態となり、開口部に挿入された新聞等と開口部の隙間から、隙間風が室内に入り込んでしまい、冬場などは室内環境を悪化させ、特に、寒冷地の場合、冬場などは室内を暖房しているが、郵便受けの隙間から隙間風が室内に進入すると、暖房効果を低減させるという問題点を有していた。
【０００６】
かかる問題点を解決するためには、郵便受けの室内側に、郵便物を受ける箱体等を取り付けることも考えられるが、この場合には、箱体等には通常、郵便物等の配達を確認するための開口が設けられるために、隙間風が室内に入り込んでしまうという問題を解決することはできない。
【０００７】
そこで、本考案は、上記従来技術の問題点を解決するためになされたものであり、その目的とするところは、郵便受けの開口部に新聞等が挿入された際に、当該開口部の隙間から室内に隙間風が入り込むのを確実に防止することが可能な郵便受け装置を提供することにある。
【課題を解決するための手段】
【０００８】
すなわち、請求項１に記載された考案は、住宅の壁面又はドアに設けられた郵便受け用の開口部の室内側に、当該開口部を囲むように取り付けられる枠体状の取付部と、前記取付部における開口に連通した状態で、その上端において当該取付部に固着されると共に、下方に垂下する筒体とを有することを特徴とする郵便受け装置である。
【０００９】
また、請求項２に記載された考案は、前記筒体には、郵便物等の投入物を取り出すための取り出し口を開口するとともに、前記取り出し口には、当該取り出し口を開閉可能とする開閉部材を設けた請求項１に記載の郵便受け装置である。
【００１０】
さらに、請求項３に記載された考案は、前記筒体は、透明又は半透明の材料によって形成されている請求項１又は２に記載の郵便受け装置である。
【００１１】
さらに、請求項４に記載された考案は、前記筒体は、不通気性乃至難通気性の素材で形成されている請求項１乃至３のいずれかに記載の郵便受け装置である。
【考案の効果】
【００１２】
本考案によれば、郵便受けの開口部に新聞等が挿入された際に、当該開口部の隙間から室内に隙間風が入り込むのを確実に防止することが可能な郵便受け装置を提供することができる。
【考案を実施するための最良の形態】
【００１３】
以下に、本考案の実施の形態について図面を参照して説明する。
【００１４】
実施の形態１
図２は本考案の実施の形態１に係る郵便受け装置を示すものである。
【００１５】
この郵便受け装置１は、図２に示すように、団地等の集合住宅や一戸建ての家屋の玄関に近い壁面２などに設けられた郵便受け３の室内側に配設される。上記郵便受け３は、壁面２などに開口された細長い矩形状の開口部４を備えるとともに、当該開口部４には、その室外側に、室内側に対して開閉自在な開閉扉５が設けられている。この開閉扉５は、ステンレス等の金属板によって形成されており、当該開閉扉５の上端部に設けられたヒンジ部６を介して、開口部４を構成する枠体７に開閉自在に取り付けられている。さらに、上記開閉扉４は、ヒンジ部６に設けられた図示しないコイル状のスプリングによって、開口部４を閉じる方向に付勢されており、開口部４は、図２（ｂ）に実線で示すように、通常、開閉扉５によって閉じられている。
【００１６】
ところで、本実施の形態では、住宅の壁面などに設けられた郵便受け用の開口部の室内側に、当該開口部を囲むように取り付けられる枠体状の取付部と、前記取付部における開口に連通した状態で、その上端において当該取付部に固着されると共に、下方に垂下する筒体とを有するように構成されている。
【００１７】
すなわち、本実施の形態に係る郵便受け装置１は、図１及び図２（ｂ）に示すように、郵便受け３の開口部４の室内側に、当該開口部４を囲むように取り付けられる枠体状の取付部１０を備えている。この枠体状の取付部１０は、図３に示すように、例えば、木材やアルミ等の金属材料によって、郵便受け３の開口部４よりも一回り大きい細長い矩形状か、又は郵便受け３の開口部４と略同一の大きさを有する細長い矩形状の枠体状に形成された２つの部材１０ａ、１０ｂから構成されており、これらの取付部の部材１０ａ、１０ｂは、郵便受け３の開口部４よりも一回り大きいか、又は略同一の大きさを有する開口部１５、１６を備えている。上記２つの枠体状の取付部１０ａ、１０ｂのうち、室内側に位置する取付部１０ａは、図３に示すように、その外周端１０ａ’が面取りされた状態に形成されている。また、上記取付部１０は、図１に示すように、郵便受け３の開口部４の室内側に、図示しないネジ止めや両面テープ等の取付手段によって取り付けられている。
【００１８】
さらに、本実施の形態に係る郵便受け装置１は、図１に示すように、取付部１０の開口部１５、１６に連通した状態で固着される筒体１１を備えている。この筒体１１は、ナイロン等の合成繊維や天然繊維からなる布地によって、底部が縫い合わされた有底の細長い袋状に形成されており、上端部に位置する開口部１２が取付部１０に固着されている。この筒体１１の上端部に位置する開口部１２は、図３（ｂ）に示すように、取付部１０を構成する２つの枠体１０ａ、１０ｂの間に挟持され、図１に示すように、下方に垂れ下がった状態で取り付けられている。
【００１９】
なお、上記筒体１１は、郵便物等の投入物の有無を外部から目視で確認できるようにするためには、透明又は半透明な材料によって形成することが望ましく、郵便受けの開口部の隙間から室内に隙間風が入り込むのをより確実に防止するには、不通気性乃至難通気性の素材で形成することが望ましい。
【００２０】
また、上記筒体１１の片面の中央部には、図４に示すように、郵便物や新聞等の投入物を取り出すための取り出し口１３が、縦方向に沿って所定の長さ（例えば、約４０ｃｍ程度）にわたって開口されるとともに、この取り出し口１３には、当該取り出し口１３を開閉する開閉部材としてのチャック１４が縫製等によって装着されている。
【００２１】
なお、上記取り出し口１３を開閉する開閉部材としては、チャック１４に限定されるものではなく、ベルクロ（登録商標）やフォック等を用いても良く、筒体１１の下方において郵便物や新聞等の投入物を受ける箱等を使用するのであれば、筒体１１の下端を開放し、取り出し口１３を省略しても良い。
【００２２】
以上の構成において、本実施の形態に係る郵便受け装置では、次のようにして、郵便受けの開口部に新聞等が挿入された際に、当該開口部の隙間から室内に隙間風が入り込むのを防止することが可能となっている。
【００２３】
すなわち、本実施の形態に係る郵便受け装置１では、図１及び図２（ｂ）に示すように、郵便受け３の開口部４の室内側に、当該開口部４を囲むように取り付けられる枠体状の取付部１０を備えるとともに、当該枠体状の取付部１０には、筒体１１が前記取付部１０の開口に連通した状態で取り付けられ、下方に垂下している。そのため、この郵便受け装置１では、図５に示すように、郵便受け３の開口部４に新聞２０が挿入されたままの状態であっても、郵便受け３の開口部４の隙間２１から進入する隙間風は、開口部１５、１６の後方の筒体１１によって阻止され、室内に入り込むことがない。また、筒体１１内を通過しようとする強い隙間風も、底部が縫い合わされた有底の細長い袋状に形成されている筒体１１によって封止され、やはり室内に入り込むことがない。
【００２４】
このように、上記郵便受け装置１では、図１に示すように、郵便受け３の開口部４の室内側に、筒体１１が連通した状態で設けられた取付部１０を取り付けるだけで良く、装置が大型化したり、重量が増加することなく、郵便受け３の開口部４に新聞２０等が挿入されたままの状態となっても、当該開口部４の隙間２１から室内に隙間風が入り込むのを確実に防止することが可能となっている。
【００２５】
また、上記郵便受け３の開口部４から投入された新聞２０や郵便物等の投入物は、完全に室内側へ投入された後に筒体１１の内部に収容されるため、当該筒体１１に設けられた取り出し口１３をチャック１４によって開けることで、容易に取り出すことができ、床面等に落下することがなく、郵便物等が汚損されるのを防止することができる。
【００２６】
さらに、筒体１１の内部に収容された新聞２０や郵便物等の投入物の存在は、筒体１１の形状が変化することによって容易に確認をすることができる。
【図面の簡単な説明】
【００２７】
【図１】図１は本考案の実施の形態１に係る郵便受け装置を示す側面構成図である。
【図２】図２（ａ）（ｂ）は本考案の実施の形態１に係る郵便受け装置が装着される郵便受けを示す斜視構成図及び断面構成図である。
【図３】図３（ａ）〜（ｃ）は本考案の実施の形態１に係る郵便受け装置の取付部をそれぞれ示す正面図及び上面図、並びに背面図である。
【図４】図４は本考案の実施の形態１に係る郵便受け装置の筒体を示す正面図である。
【図５】図５は本考案の実施の形態１に係る郵便受け装置の使用状態を示す斜視構成図である。
【符号の説明】
【００２８】
１：郵便受け装置、２：壁面、３：郵便受け、４：開口部、５：開閉扉、１０：取付部、１１：筒体
【図１】
0003124065.tif 000003
【図２】
0003124065.tif 000004
【図３】
0003124065.tif 000005
【図４】
0003124065.tif 000006
【図５】
0003124065.tif 000007